(57)【特許請求の範囲】
【請求項１】
角部(1a)を有する鉄骨部材(1)の垂直度を表示する垂直度表示装置(30)を前記鉄骨部材(1)に磁気的に着脱させるようにした垂直度表示装置の着脱方法において、前記垂直度表示装置(30)は、切欠部(2A)を有し全体形状が長手Ｌ型をなす本体(2)と、前記本体(2)の両端に設けられた一対の着脱機構(5)と、前記本体(2)の前記各着脱機構(5)間に設けられ互いに異なる面にＸ方向発光体(3)及びＹ方向発光体(4)を有する発光表示体(10)と、前記Ｘ方向発光体(3)及びＹ方向発光体(4)に設けられＶ字形に配列されると共に前記鉄骨部材(1)の右側傾斜及び左側傾斜状態が発光表示される複数の発光素子(3a〜3n,4a〜4n)とを有し、前記切欠部(2A)を前記角部(1a)に当接させて前記着脱機構(5)に設けた永久磁石(20)の磁力により前記垂直度表示装置(30)を前記鉄骨部材(1)に吸着させ、前記脱着機構(5)に設けた巻線(26)に通電させた時に前記磁力を打消すことを特徴とする垂直度表示装置の着脱方法。
【請求項２】
角部(1a)を有する鉄骨部材(1)の垂直度を表示する垂直度表示装置(30)を前記鉄骨部材(1)に磁気的に着脱させるようにした垂直度表示装置の着脱方法において、前記垂直度表示装置(30)は、切欠部(2A)を有し全体形状が長手Ｌ型をなす本体(2)と、前記本体(2)の両端に設けられた一対の着脱機構(5)と、前記本体(2)の前記各着脱機構(5)間に設けられ互いに異なる面にＸ方向発光体(3)及びＹ方向発光体(4)を有する発光表示体(10)と、前記Ｘ方向発光体(3)及びＹ方向発光体(4)に設けられＶ字形に配列されると共に前記鉄骨部材(1)の右側傾斜及び左側傾斜状態が発光表示される複数の発光素子(3a〜3n,4a〜4n)とを有し、前記切欠部(2A)を前記角部(1a)に当接させて前記着脱機構(5)に設けた永久磁石(20)の回転角度を取手(6)により変えることにより前記着脱を行なうことを特徴とする垂直度表示装置の着脱方法。
【発明の詳細な説明】
【０００１】
【発明の属する技術分野】
本発明は、垂直度表示装置の着脱方法に関し、特に、磁力を介して簡単に着脱するための新規な改良に関する。
【０００２】
【従来の技術】
従来、用いられていたこの種の着脱方法としては、埋め込まれた永久磁石と磁性体を用いて着脱を行っていた。
【０００３】
【発明が解決しようとする課題】
従来の着脱方法は、以上のように構成されていたため、次のような課題が存在していた。すなわち、永久磁石の吸着力により取付けを行っていたため、はずす時には永久磁石の吸着力以上の力で引張らなくてはならず、また、取付ける時には永久磁石の吸着力により衝撃的に吸着していた。
【０００４】
本発明は、以上のような課題を解決するためになされたもので、特に、鉄骨部材の傾斜状態を発光素子を用いて表示すると共に，垂直度表示装置を磁力を介して簡単に着脱するようにした垂直度表示装置の着脱方法を提供することを目的とする。
【０００５】
【課題を解決するための手段】
本発明による垂直度表示装置の着脱方法は、角部を有する鉄骨部材の垂直度を表示する垂直度表示装置を前記鉄骨部材に磁気的に着脱させるようにした垂直度表示装置の着脱方法において、前記垂直度表示装置は、切欠部を有し全体形状が長手Ｌ型をなす本体と、前記本体の両端に設けられた一対の着脱機構と、前記本体の前記各着脱機構間に設けられ互いに異なる面にＸ方向発光体及びＹ方向発光体を有する発光表示体と、前記Ｘ方向発光体及びＹ方向発光体に設けられＶ字形に配列されると共に前記鉄骨部材の右側傾斜及び左側傾斜状態が発光表示される複数の発光素子とを有し、前記切欠部を前記角部に当接させて前記着脱機構に設けた永久磁石の磁力により前記垂直度表示装置を前記鉄骨部材に吸着させ、前記脱着機構に設けた巻線に通電させた時に前記磁力を打消す方法である。
【０００６】
本発明による垂直度表示装置の着脱方法は、角部を有する鉄骨部材の垂直度を表示する垂直度表示装置を前記鉄骨部材に磁気的に着脱させるようにした垂直度表示装置の着脱方法において、前記垂直度表示装置は、切欠部を有し全体形状が長手Ｌ型をなす本体と、前記本体の両端に設けられた一対の着脱機構と、前記本体の前記各着脱機構間に設けられ互いに異なる面にＸ方向発光体及びＹ方向発光体を有する発光表示体と、前記Ｘ方向発光体及びＹ方向発光体に設けられＶ字形に配列されると共に前記鉄骨部材の右側傾斜及び左側傾斜状態が発光表示される複数の発光素子とを有し、前記切欠部を前記角部に当接させて前記着脱機構に設けた永久磁石の回転角度を取手により変えることにより前記着脱を行う方法である。
【０００７】
【発明の実施の形態】
以下、図面と共に本発明による垂直度表示装置の着脱方法の好適な実施の形態について詳細に説明する。
図１において符号１で示されるものは、ベース１Ａ上に垂直状態で設けられた鉄骨部材であり、この鉄骨部材１の角部１ａには切欠部２Ａにより全体形状がほぼ長手Ｌ型をなす本体２がこの角部１ａに適合する状態で設けられ、この本体２には図３、図４で示す永久磁石２０を内蔵した着脱機構５が一対設けられている。この各着脱機構５はこの本体２の両端に回転自在に設けられた取手６によりこの永久磁石２０が周知のように回転する構成で、この取手６の回転によって永久磁石２０の位置が変わり、本体２の鉄骨部材１への吸着又は非吸着が達成される。すなわち、図３、図４で示されるように、両端にＮ極とＳ極を有する偏平な板状をなす永久磁石２０をヨーク２１の空隙２２内に位置させ、図３の状態では磁束２３が鉄骨部材１を通り、吸着オンとなる。また、図４では磁束２３が鉄骨部材１を通らないため吸着オフとなる。なお、この時の吸着力は次の数１の(1)式の通りである。
【０００８】
【数１】
0003600682.tif 000002
【０００９】
前記本体２の表面側の互いに異なる面には、複数の発光素子３ａ〜３ｎからなるＸ方向発光体３と複数の発光素子４ａ〜４ｎからなるＹ方向発光体４とが設けられ、各発光体３，４によって発光表示体１０が構成され、Ｘ方向及びＹ方向の傾斜状態を各発光体３，４により表示できるように構成されている。なお、この場合、Ｘ方向とは、鉄骨部材１の一面の方向を示し、Ｙ方向はこのＸ方向とは直交する方向を示している。前記Ｘ方向発光体３及びＹ方向発光体４は、発光素子３ａ〜３ｎ、４ａ〜４ｎが各々ほぼＶ字形に配列され、各々右側傾斜及び左側傾斜状態を目視によって直ちに識別できるように構成されている。なお、この場合、発光素子３ａ，４ａのみが発光すると垂直状態、３ｂ〜３ｎ，４ｂ〜４ｎが発光した時には何れかに傾斜した状態を示している。なお、この本体２、着脱機構５及び発光表示体１０により垂直度表示装置３０を構成している。
【００１０】
前記本体２内には、Ｘ方向及びＹ方向の傾斜角を計測する２軸傾斜計８が設けられ、この２軸傾斜計８からの２軸の傾斜角の信号８ａは傾斜計アンプ９を経て発光しきい値選択回路１２に入力され、この発光しきい値選択回路１２には前述のＸ方向発光体３及びＹ方向発光体４が各々接続されている。なお、前述の傾斜計アンプ９及び発光しきい値選択回路１２には、バッテリー７からのＤＣ電源がＤＣ／ＤＣコンバータ１１を介して各々供給されている。
【００１１】
次に動作について述べる。まず、本体２の切欠部２Ａを鉄骨部材１の角部１ａに当接させて取手６を矢印の方向に沿って回転させると、着脱機構５の永久磁石２０の位置が変わり磁束２３が鉄骨部材１を通ることにより本体２が鉄骨部材１の角部１ａに磁力によって装着される。この状態で電源をオンすると、２軸傾斜計８から出力される２軸の傾斜角の信号８ａは傾斜計アンプ９で増幅され、発光しきい値選択回路１２で選択的に振り分けられ、その信号８ａのレベルに応じてＸ方向とＹ方向の各発光体３と４の何れかの発光素子３ａ〜３ｎと４ａ〜４ｎが発光する。
前述の発光素子３ａ又は４ａのみが発光した場合には鉄骨部材１が垂直状態であることを示し、他の発光素子３ｂ〜３ｎと４ｂ〜４ｎが発光した場合には、Ｘ方向とＹ方向が左右何れかに傾斜をしている状態を示し、Ｘ方向及びＹ方向における傾斜状態を発光式に表示することができる。なお、右方向又は左方向として直列状に配置された各発光素子３ａ〜３ｎ、４ａ〜４ｎの数は、Ｘ方向で５個、Ｙ方向で５個用いているが、この数を図示よりも多くしてより視認性を向上させることができる。また、図示の発光素子３ａ〜３ｎ及び４ａ〜４ｎを用いることなく、発光型の数字表示を用いることもできる。また、発光素子３ａ，４ａのみの発光色を他と変えることもできる。
【００１２】
次に、図５及び図６は、前述の着脱機構５の他の形態を示すものである。すなわち、図５及び図６において、着脱機構５に設けられたヨーク２１には永久磁石２０及び巻線２６が設けられ、この巻線２６にはスイッチ２５を介してバッテリー２４が接続されている。従って、スイッチ２５をオフとした状態では、永久磁石２０の磁束２３のみが鉄骨部材１に流れるため吸着オン状態となる。また、図６のようにスイッチ２５をオンとした状態では、巻線２６に電流が流れると共にヨーク２１には永久磁石２０の磁束２３を打消す方向に巻線２６の磁束２３ａが流れる（巻線２６の巻き方向がそのように指定されている）ため、永久磁石２０の磁束２３による吸着力はなくなり吸着オフ状態となる。また、図５及び図６の吸着力は次の数２の(2)式の通りである。
【００１３】
【数２】
0003600682.tif 000003
【００１４】
【発明の効果】
本発明による垂直度表示装置の着脱方法は、以上のように構成されているため、次のような効果を得ることができる。
すなわち、永久磁石の回転方向のみで吸着オン、オフを選択することができ、極めて簡単に確実な着脱を行うことができる。また、永久磁石と巻線を用い、電源オフ時に吸着オンとし、電源オン時に吸着オフとしているため、吸着時に電源を消費することがなく、省電力形の着脱機構を得ることができる。
【図面の簡単な説明】
【図１】本発明による垂直度表示装置を示す構成図である。
【図２】図１の要部を示すブロック構成図である。
【図３】着脱機構の吸着オン状態を示す構成図である。
【図４】図３の着脱機構の吸着オフ状態を示す構成図である。
【図５】図３の他の着脱機構の吸着オン状態を示す構成図である。
【図６】図５の着脱機構の吸着オフ状態を示す構成図である。
【符号の説明】
１    鉄骨部材
１ａ 角部
２ 本体
２Ａ 切欠部
３ Ｘ方向発光体
３ａ〜３ｎ，４ａ〜４ｎ 発光素子
４ Ｙ方向発光体
５    着脱機構
６    取手
１０ 発光表示体
２０    永久磁石
２６    巻線
３０    垂直度表示装置
【図１】
0003600682.tif 000004
【図２】
0003600682.tif 000005
【図３】
0003600682.tif 000006
【図４】
0003600682.tif 000007
【図５】
0003600682.tif 000008
【図６】
0003600682.tif 000009